(57)【要約】      （修正有）【課題】二つの作用点の間隔の距離を、元になる位置と設定する位置の比を大きくすること、二つの距離間で確実に停止し、固定すること。遠距離操作で停止し、固定と開放をする。【解決手段】右本体１と左本体２を交互に交差させ、軸孔３に、主軸６を挿入し、主軸雌螺子７に締め具把手８の締め雄螺了９を螺合し、巻バネ１２と締め具把手８にバネ元１５を固定し、主軸太径１３に巻バネ１２を固めに絡ませ、空室３８により撓みを与え、主軸螺子７に締め螺子９を螺合し、遠隔操作をする為に、締め具把手８にワイヤ掛け１８と、本体１６にチューブ掛け１７を設け、ブレーキレバーの操作により、右束群４４と左束群４５との固定と開放を可能にする。【選択図】図３
2005009655.tif 000002
【特許請求の範囲】
【請求項１】
右本体（１）と左本体（２）を交互に交差させ軸孔（３）に主軸（６）を挿入し、主軸螺子（７）に締め具把手（８）の締め螺子（９）を螺合し、右束群（４４）と左束群（４５）の、二点間の自由距離移動と、設定後の固定と開放をする装置。
【請求項２】
巻バネ（１２）と締め具把手（８）にバネ元（１５）を固定し、主軸太径（１３）に巻バネ（１２）を固めに絡ませ、空室（３８）により撓みを与え、主軸螺子（７）に締め螺子（９）を螺合し、右束群（４４）と左束群（４５）を固着と開放する請求項１記載の、二点間の自由距離移動と、設定後の固定と開放をする装置。
【請求項３】
遠隔操作をする為には、本体（１６）と締め具把手（８）の間に、バネ力による回転力を与え、締め雄螺子（９）と主軸雌螺子（７）で、右束群（４４）と左束群（４５）を締めて固定する、締め具把手（８）にワイヤ掛け（１８）と、本体（１６）にチューブ掛け（１７）を設け、自転車用に似たブレーキレバーの操作により、バネ力による締め力を開放する。二点間の自由距離移動と、設定後の固定と開放をする装置。
【発明の詳細な説明】
【０００１】
【発明の属する技術分野】
二つの作用点間の距離が自由に伸縮でき、設定した二点の停止位置を確実に固着固定と、開放をする。更にその機構を自転車のブレーキ部品を利用して、遠隔操作できる装置を提供する。
【０００２】
【従来の技術】
二つの作用点間の距離を調整するには、シリンダのように、径の異なるパイプにパイプを挿入し、摺動機構等で位置を設定した。二点の距離設定には、一例として、元になるシリンダの長さを２０ｃｍとして、シリンダ内からピストンを１５ｃｍ伸せば、全長が３５ｃｍとなる。ここで、注目すべきは、伸す長さの１５ｃｍに対して、元の長さが２０ｃｍが必要と言うことである。設定後の二点の距離を固定する機構として、螺子締め機構、コレットチャックによる締め付け機構、摩擦機構、蔓巻バネの内径に棒材の外径を無理に挿入する機構等あるが、位置確保のための摺動が重く、それぞれに問題点を有する。
【０００３】
【発明が解決しょうとする課題】
解決する課題は大きく分類すると３つに分けられる。第一は二点間の距離の縮みの時の長さが短く、伸びる長さを大きくする課題、第二は、二つの距離間を強力な力で確実に固着固定する方法。第三は遠距離操作により、二つの作用点の距離間を確実に、固着、固定と、開放をすること。以下順次説明する。
【０００４】
【課題を解決するための手段】
課題の第一と第二に関しては、扇子の構造に似せた機構、第三は自転車のブレーキ機構の一部を利用して解決の手段とする。
【０００５】
図１は、本体１６の平面図を示し、円板に長方形の板を取り付けた形の板材で、本体１６には軸孔３を穿ち、本体１６の軸孔３を中心として、図２に示すように左右交互に交差して重ねる。
【０００６】
図３は、各部品の組み立て構成について述べる。全体の形は扇子に似て、扇子の裏表の竹材に当る部分の板厚は強度上、厚くする。扇子の紙に当る部分の板厚は枚数を多くする必要上、薄くする。板厚の厚いものを厚肉本体５と呼び、板厚の薄いものを薄肉本体３０と呼ぶ。図は、交差する本体１６の組み合わせ配置図を示し、図下の厚肉本体５の左本体２には、主軸６を設け、主軸６の外径には段差を造り、主軸雌螺子７が設けてある。
【０００７】
図３の下方より上方に向かって、厚肉本体５である左本体２の主軸６を厚肉本体５の右本体１の軸孔３に挿入する、次には、上方に向かって薄肉本体３０の左本体２、右本体１、左本体２、右本体１、左本体２を順次、交互に交差した状態で複数個主軸６に挿入し、最後に、厚肉本体５の右本体１と厚肉本体５の左本体２の軸孔３に挿入し、締め具把手８の締め雄螺子９を主軸６の主軸雌螺子７に螺合して締め付ける。
【０００８】
図４は、前記により、組み上がった装置の断面側面図である、主軸６の主軸雌螺子７と、締め具把手８の締め雄螺子９を螺合させ、締める方向へ回すことで、締め具把手８の把手裏面１１の接触により、本体１６は強力に締め付けられ固着固定する。
【０００９】
図４のように、右本体１と左本体２が交互に交差積層された状態で、右側には右本体１だけを束ねた右束群４４と、左本体２だけを束ねた左束群４５に分け、締め具把手８で締める力を加えた時、右本体１と左本体２の交差した枚数が多い程、締め付けられた固着力は大きく、右本体１と左本体２の交差した枚数が少ない時には、同じ力を加えても、締め付けられた固着力は小さい。
【００１０】
このような時の出力計算は、摩擦面積に対し締め付けに掛かる力を乗ずれば出力となる。従って本体１６の摩擦部分は円板状で、摩擦する本体１６の交差枚数が多い程、固着力は強力となる。
【００１１】
図５で、主軸６の主軸雌螺子７に対し、締め具把手８の締め雄螺子９を緩めると、右束群４４と左束群４５間では、摩擦力が減少し固着力から開放される、主軸６を軸として扇子のように、右束群４４と左束群４５は自由な角度に開くことができる。
【００１２】
図５にて、上図では、本装置の右束群４４と左束群４５が隣合って接近している。下図では、右束群４４と左束群４５は開き、両者の本体端４に取り付けられている夫々のフランジ２６間は、必要とする距離を自由に確保できる。右束群４４と左束群４５は主軸６を軸心として、任意の位置まで開き、課題とする二つの作用点の間隔を調整設定する。フランジ２６の二点間の距離比は、閉じている縮の時と、開いた伸の時の比は、１対１０、１対２０でも自由に設定でき、第二の課題の解決となる。
【００１３】
図６はフランジ２６の平面図と側面図で、フランジ２６は作業孔２９を有し、先端金具２５の先端金具孔３２と、フランジ２６の自由孔３３を自由軸２８で遊動状に結合する。また、先端金具２５には先端軸２７で本体端孔３４と遊動状に軸着するための先端軸孔３１がある。
【００１４】
前記までの説明は、右束群４４と左束群４５を、人力で締め具把手８を締めて完全に固着、固定した。固定された右束群４４と左束群４５のフランジ２６の二点間の距離は強力に固着確保される。締め具把手８を人力で緩めると右束群４４と左束群４５は固定から開放され、再びフランジ２６間の距離を変えることは容易に出来ることを説明した。
【００１５】
遠隔操作について記す、操作の考えの原理を図７に示す、人力で締め具把手８を締めの方向へ回し、締め具把手８の把手裏面１１が本体１６を完全に締めつけた後、締め具把手８に設けた把手環３５と、本体１６に設けた本体環３６の二つの環の間に、引きバネ３７を装着して、バネの力で常に締め具把手８を締めつけ右束群４４と左束群４５を固着状態におくことが遠隔操作の原理の第一条件となる。
【００１６】
【発明の実施の形態】
図８は、締め具把手８の裏面平面図と断面側面図を示す、形は茶筒の蓋に似て中央に締め雄螺子９があり、空室３８とバネ掛け孔１０と把手裏面１１がある。
【００１７】
説明の都合上先に図１０を説明する、図１０にて、主軸６は軸心に主軸雌螺子７を有し、また主軸６の外径は太さが二段になっていて、主軸太径１３と主軸細径１４により構成する。
【００１８】
ここで、巻バネ１２の巻きの方向を定めておく。締め具把手８の締め雄螺子９が締めていく方向を時計の針の回転方向として定義づけるなら、遠隔操作の為の巻バネ１２の巻きの方向は時計の針の回る方向とする。巻バネ１２を時計方向へ回すと言うことは、巻きバネ先２３も時計方向に回る、然し、巻きバネ先２３から見ると、主軸６に対しては逆らって回ることとなり、巻バネ１２の内径は主軸太径１３の摩擦抵抗もあって、わずかに拡がって主軸太径１３の外周に巻バネ１２の内径が絡みつきながらも回ることができる。次に締め具把手８を反時計方向へ回す時には、巻バネ１２は主軸太径１３に完全に絡みつく状態となり、巻バネ１２は主軸太径１３の外周に絡まって回らなくなる、ワンウエイクラッチ機構の発生である。なお、文中の巻き方向とは、巻バネ１２の製作過程において、バネの巻きの方向が時計の針が回る方向か、反時計方向に巻くかにより、バネの巻きの方向と主軸太径１３との関係が決まる。
【００１９】
図９は、巻バネ１２の図でバネ元１５、巻きバネ先２３が発明に関連する。巻バネ１２の内径寸法は、図１０に示す主軸６の主軸太径１３の外径寸法より僅かに細い、ワンウエイクラッチ機構を発生させる為である、巻バネ先２３から主軸６の主軸太径１３に対して少々固いが挿入して使用する。巻バネ１２を使用する目的は、巻バネ１２のバネ元１５を、図８の締め具把手８のバネ掛け孔１０に挿入し、遠隔操作において、二点間の距離位置を固着固定させる為である。
【００２０】
図１１下図にて、本体１６に固定されている主軸６の主軸太径１３に対し、前述の理屈により、巻バネ１２の巻きバネ先２３より、少し固いながらも時計方向に回しながら挿入する、巻バネ１２のバネ元１５は、回転中、同一円周上の締め具把手８のバネ掛け孔１０に入る、更に回して締め具把手８の締め雄螺子９を主軸雌螺子７に対し螺合していくと、バネ掛け孔１０にバネ元１５が固定されているので、巻バネ１２の巻きバネ先２３も締め雄螺子９の回転と共に、主軸太径１３の外周を回る、締め具把手８の把手裏面１１が本体１６に当たって、右束群４４と左束群４５は締められて固着、固定する。締め付けた後も巻バネ１２の時計回りバネ力が働いて常時、巻バネ１２が締め具把手８の緩みを防ぐ作用となる。次に、二点間の距離の開放が必要とする時には、締め具把手８を逆に回して主軸雌螺子７と締め雄螺子９の螺合を緩める必要がある。ところが、締め具把手８を逆に戻すことは、反時計方向に回すことで、ワンウエイクラッチ機構の理により、締まりの方向に回すことになり主軸太径１３に対して、巻バネ１２の巻きバネ先２３は絡み固定されている。更に無理に締め具把手８を反時計方向に回せば、バネ掛け孔１０に挿入して固定しているバネ元１５は、この時、巻バネ１２の内径と主軸細径１４との隙間と、締め具把手８の空室３８の空間が、巻バネ１２は締め具把手８に９０度程、撓みを生じさせ、主軸雌螺子７より締め雄螺子９の螺合が緩み、締め具把手８を反時計方向へ回すことができる、把手裏面１１は本体１６を締めていた固着力から開放する。かくて、右束群４４と左束群４５は自由に開放される。
【００２１】
これより遠隔操作の説明に入る。図１２の締め具把手８にワイヤ掛け１８が固定され、右本体１の厚肉本体５にはチューブ掛け１７が固定されている。この両者は第三の遠隔操作に関係する部品で、自転車のブレーキのレバー装置を利用する、自転車ブレーキ装置の部品の内、引きレバー２１は、ワイヤ引き具２２の軸４６を軸心として作用する。ワイヤ引き具２２のワイヤ支え２４にはワイヤ元先端３９を固定し、チューブ止め４３にはチューブ元先端４０を固定する、長い誘導チューブ２０の先には、チューブ掛け１７にチューブ先先端４２を固定し、ワイヤ掛け１８にはワイヤ先先端４１を固定する。
【００２２】
図１２図上では引きレバー２１の位置は水平であり、機能は作用していない。その時、締め具把手８の内部では、巻バネ１２のバネ力は右束群４４と左束群４５を固定させた状態である。下図では、引きレバー２１は引かれて作用した状態である、誘導チューブ２０内の引きワイヤ１９は引かれ、締め具把手８のワイヤ掛け１８は右方へ引き寄せられている。この時、締め具把手８の締め雄螺子９は反時計方向へ回り主軸雌螺子７との螺合を緩め、本体１６への締め付け力を緩める。従って右右束群４４と左束群４５に対する締め具把手８の締め付け力は、ワイヤ引き具２２を使用することで遠隔操作による開閉を可能とした。
【００２３】
以上を纏めると、本装置は扇子の形に似て、右本体１と左本体２を交互に交差させた右束群４４と左束群４５の軸孔３に、主軸６を挿入し、主軸６の主軸雌螺子７に対して、締め具把手８の締め雄螺子９を螺合し、締めると、右束群４４と左束群４５は締まって固着する。主軸６の主軸雌螺子７に対し、締め具把手８の締め雄螺子９を緩めれば右束群４４と左束群４５を開放して、二点間の距離の伸縮に固着と開放を与えた。
【００２４】
この機構の特性として、巻バネ１２と締め具把手８のバネ掛け孔１０にはバネ元１５を固定し、右本体１に固定した主軸６には外径主軸太径１３と主軸細径１４を設け、主軸太径１３には巻バネ１２を固めに絡ませ、主軸細径１４では巻バネ１２との隙間と締め具把手８の空室３８により撓みを与え、主軸雌螺子７に締め雄螺子９を螺合し、右束群４４と左束群４５を固着と開放する。
【００２５】
遠隔操作をする為には、本体１６と締め具把手８の間に、バネ力による回転力を与え、締め雄螺子９と主軸雌螺子７で、右束群４４と左束群４５を締めて固定する、締め具把手８にワイヤ掛け１８と、本体１６にチューブ掛け１７を設け、自転車用に似たブレーキレバーの操作により、バネ力による締め力を開放する。
【００２６】
【発明の効果】
二つの作用点の間隔の距離を元になる位置と設定する位置との伸縮比が大きくなったこと、二つの距離間で確実に停止し、固着、固定すること。遠距離操作で二点の距離の伸縮を自由にし、停止位置の固定と開放を確実にする。
【図面の簡単な説明】
【図１】本体１６の平面図である。
【図２】本体１６の配列平面図である。
【図３】本体１６の組み立て側面図である。
【図４】右束群４４と左束群４５の組立側面図である。
【図５】右束群４４と左束群４５の開閉平面図である。
【図６】先端軸２７へフランジ２６を取り付けた平面図と側面図である。
【図７】遠隔操作の原理平面図である。
【図８】締め具把手８の平面図と断面側面図である。
【図９】巻バネ１２の斜視側面図である。
【図１０】主軸６を保有する本体１６平面図と側面図である。
【図１１】締め具把手８を中心とした拡大平面図と拡大側面図である。
【図１２】本体１６の遠隔操作の実例平面図である。
【符号の説明】
１  右本体
２  左本体
３  軸孔
４  本体端
５  厚肉本体
６  主軸
７  主軸雌螺子
８  締め具把手
９  締め雄螺子
１０  バネ掛け孔
１１  把手裏面
１２  巻バネ
１３  主軸太径
１４  主軸細径
１５  バネ元
１６  本体
１７  チューブ掛け
１８  ワイヤ掛け
１９  引きワイヤ
２０  誘導チューブ
２１  引きレバー
２２  ワイヤ引き具
２３  巻バネ先
２４  ワイヤ支え
２５  先端金具
２６  フランジ
２７  先端軸
２８  自由軸
２９  作業孔
３０  薄肉本体
３１  先端軸孔
３２  先端金具孔
３３  自由孔
３４  本体端孔
３５  把手環
３６  本体環
３７  引きバネ
３８  空室
３９  ワイヤ元先端
４０  チューブ元先端
４１  ワイヤ先先端
４２  チューブ先先端
４３  チューブ止め
４４  右束群
４５  左束群
４６  軸
【図１】
2005009655.tif 000003
【図２】
2005009655.tif 000004
【図３】
2005009655.tif 000005
【図５】
2005009655.tif 000006
【図６】
2005009655.tif 000007
【図７】
2005009655.tif 000008
【図８】
2005009655.tif 000009
【図９】
2005009655.tif 000010
【図１０】
2005009655.tif 000011
【図１１】
2005009655.tif 000012
【図１２】
2005009655.tif 000013
【手続補正書】
【提出日】平成16年3月9日(2004.3.9)
【手続補正２】
【補正対象書類名】図面
【補正対象項目名】全図
【補正方法】変更
【補正の内容】
【図１】
2005009655.tif 000014
【図２】
2005009655.tif 000015
【図３】
2005009655.tif 000016
【図４】
2005009655.tif 000017
【図５】
2005009655.tif 000018
【図６】
2005009655.tif 000019
【図７】
2005009655.tif 000020
【図８】
2005009655.tif 000021
【図９】
2005009655.tif 000022
【図１０】
2005009655.tif 000023
【図１１】
2005009655.tif 000024
【図１２】
2005009655.tif 000025